【手続補正書】
【提出日】平成21年5月28日(2009.5.28)
【手続補正１】
【補正対象書類名】明細書
【補正対象項目名】全文
【補正方法】変更
【補正の内容】
【発明の詳細な説明】
【発明の名称】ラップフィルム用収納箱
【技術分野】
【０００１】
本発明は、円筒の芯体に巻かれた食品包装用ラップフィルムの収納箱に関する。特に、ラップフィルムを収納箱から所望の長さに引き出して切断する際の切断機能を維持しながら、切断時の手等との摩擦を軽減させるための差込み刃が取り付けられ、かつ引裂強度の低いフィルムを切断した後にもラップフィルムの端面強度低下を起こさないラップフィルム用収納箱に関する。
【背景技術】
【０００２】
食品等を包装するラップフィルムは、通常、円筒の芯体に巻かれて紙製の箱内に収納されている。この種の箱は、ラップフィルムの切断を容易にするために、蓋板に連接した掩蓋片先端のほぼ全巾に渡って、金属、プラスチック、硬質紙等でできた切断刃１４を取り付けたものが広く使用されている（図１０）。
しかしながら、この種のラップフィルム収納箱では、切断刃１４が掩蓋片先端のほぼ全巾に渡って取り付けられているため取り扱いに注意が必要である。また、廃棄時に金属性の刃を箱体から分別することも手間である。
【０００３】
ラップフィルムを切断刃に沿わせて切断するこの種のラップフィルム収納箱では、切断した後に収納箱側に残るラップフィルム等の切断端面に多数の亀裂が生じる。特に、引裂強度の低いフィルムでは、切断途中やラップフィルムを箱から引き出す際に、その亀裂が起点となってラップフィルムが意図しない方向に裂け、収納箱側に残るラップフィルムの最終端がわからなくなる。そのため、次にフィルムを引き出す際に、引き出すための先端部を見つけるのに手間がかかる場合がある。
分別廃棄を容易にするために、例えば、切断刃を短尺化し、廃棄を要する部分を減らす方法が開示されている（特許文献１）。また、ラップフィルム切断端面の強度が低下する問題を回避する手段としては、ラップフィルムの一箇所に形成した切れ込みから伝播で切断する方法が開示されている（特許文献２）。
【０００４】
しかし、特許文献１に開示された切込み部材の形状では、手等との摩擦低減の効果は小さい。特許文献２に開示された収納箱の構成では、切断後のラップフィルム端面強度は著しく向上するが、掩蓋片先端に沿わずに円弧状に切れ目が伝播する場合が多い。円弧状に
伝播した場合、伝播切断の感触が乏しく、収納箱側に残るラップフィルムの切断端両端が底板からはみ出し、見た目も悪く、衛生面でも問題が生じる。
【特許文献１】特開平５−５１０２６号公報
【特許文献２】特開平３−１８７８３９号公報
【発明の開示】
【発明が解決しようとする課題】
【０００５】
本発明は、円筒の芯体に巻いて収納されているラップフィルムを引き出して切断する際に、ラップフィルムの一箇所に差込み刃で切れ込みを形成し、伝播によりフィルムを切断する収納箱において、切れ込みを形成する時のラップフィルムへの差込み性を損なうことなく、手等との摩擦が低減でき、引裂強度の低いフィルムを切断した後にもラップフィルムの端面強度低下を起こさず、さらに切断時に掩蓋片先端縁に沿って切れ目を伝播させることができるラップフィルム用収納箱を提供することを目的とする。
【課題を解決するための手段】
【０００６】
本発明者らは、前記課題を解決するため、（イ）差込み刃のラップフィルムへの差込み性を損なうことなしに、手等との摩擦を低減させるためには、刃山を複数とし、刃山の両端の縁部を円弧状にすることが最適であり、（ロ）ラップフィルムの切断端面強度低下を防止し、ラップフィルムの円弧状伝播を抑制しラップフィルムの伝播を掩蓋片先端に沿わせるためには、掩蓋片と開封片とを区分する切れ込み形状を二重ミシン目にすることがより好ましいことを見出し、本発明をなすに至った。
【０００７】
すなわち、本発明は、下記の通りである。
前板１、底板２、後板３、及び脇板７の各面で形成される上部が開口した収納室９と、その収納室９の後板３の上端辺から開閉可能で収納室９を覆う方向に連接した蓋板４と、その蓋板４の前端辺から前板１を覆う方向に延出した掩蓋片５と、その掩蓋片５の先端辺に切り込み線１１を介して延出した開封片６と、掩蓋片脇板８の各面で形成される蓋体１０からなるラップフィルム用収納箱において、切り込み線１１に沿って開封片６を取り去ることにより生じる掩蓋片の先端縁はＶ字状であり、引き出されたラップフィルムに小さな切れ込みを入れるための差込み刃Ｋは、掩蓋片５のＶ字状先端縁の頂部に突出して設けられており、差込み刃Ｋは、複数の刃山を持ち、刃山の両端の縁部は円弧状であり、切り込み線１１は、上下にずらして配置させた二重ミシン目により形成されており、収納箱を構成する紙の目付け方向は、ラップフィルム収納箱の長手方向に垂直であることを特徴とするラップフィルム用収納箱。
【発明の効果】
【０００８】
本発明のラップフィルム用収納箱は、差込み刃の刃山を複数とし、かつ刃山の両端形状を円弧状とすることで、ラップフィルム等への差込み能力を損なうことなく、使用時や分別作業時に手等が差込み刃と接触しても摩擦を小さくする効果を有する。
また、開封片を取り去った後の掩蓋片端部を適度な凹凸となる形状にすることで、ラップフィルムは伝播の際に掩蓋片から適度な抵抗を得ることができるので、伝播切断の感触を高めることができ、ラップフィルム等の円弧状伝播を抑制する効果を有する。したがって、収納箱側に残るラップフィルム等の両端が底板からはみ出し、見た目が悪化することや衛生面の問題も防止することができる。
【０００９】
さらに、ラップフィルム等の切断方法は、掩蓋片先端全巾に渡る切断刃による切断ではなく、差込み刃によるラップフィルム中央部への小さな切れ込みを起点として掩蓋片先端形状に沿わせた伝播切断であるので、切断した後に収納箱側に残るラップフィルムの端面に亀裂を発生させない。そのため、端面強度低下をもたらさず、意図しない方向にラップフィルム等が裂けるのを防止する効果を有する。
【発明を実施するための最良の形態】
【００１０】
本発明について、好ましい実施態様を中心に、詳細に説明する。
図１は、本発明のラップフィルム用収納箱Ｃの開封片６を掩蓋片５から切り離す途中の状態を示す斜視図、図２は、開封片６を除去した後の蓋を開いた状態を示す斜視図である。収納箱Ｃが開封される前の状態では、開封片６の裏面と収納室９前面の前板１が糊等で剥離可能に接着されている。
差込み刃Ｋは、掩蓋片５におけるＶ字形状の頂部の裏側に、その刃先を開封片６側に僅かに突出させた状態でカシメ等により付設されている。掩蓋片５の先端縁５ａは、前板１に接着されている開封片６を切り込み線１１に沿って掩蓋片５から分離させることにより、全体がＶ字状に緩やかに傾斜した形状となる。したがって、差込み刃Ｋの刃先は、Ｖ字形状の頂部から突き出た状態になっている。
【００１１】
差込み刃Ｋの素材は、金属、プラスチックなど、公知の材料を用いればよく限定されないが、耐久性を考慮すると金属が好ましい。
差込み刃Ｋが金属の場合、収納箱からの分別を容易にするために、図３（ａ）、（ｂ）に示すように、差込み刃Ｋと掩蓋片５の間に、差込み刃Ｋの刃先とは別の方向に突出してプラスチック等からなる摘み部１２または１２’を挟んで設けてもよい。廃棄時には、摘み部１２または１２’ごと差込み刃のカシメ部１３を収納箱から外して分別することができる。
【００１２】
図４は、図２に示した差込み刃Ｋの刃山形状の例で、（ａ）は３個の刃山がほぼ同じ高さのもの、（ｂ）は両端のみに刃山をもつものの刃山形状の例である。図５は、図４（ａ）の刃山形状の拡大図である。Ｋａは両端の刃山Ｋｂの間に存在する刃山を表す。図４（ｃ）、（ｄ）は、後述する比較例に用いた、本発明の範囲外の刃山形状の例である。
【００１３】
本発明のラップフィルム用収納箱に取り付ける差込み刃Ｋの形状は、ラップフィルムを切断する際の切れ込みを形成するときに、差込み箇所の端面に発生する亀裂の数を少なくすることと、手等が触れた時の応力を分散させることができるものが好ましい。亀裂の数を少なくするのは、その亀裂を起点として意図しない方向にラップフィルム等が裂けるのを防止するためである。応力を分散させるのは、手等への摩擦を低下させるためである。以上の理由から、好ましい形状は以下の通りである。
【００１４】
フィルムへの差込み性を損なわず、かつフィルムの切断端面に発生する亀裂を少なくするためには、刃先の形状は以下の範囲が各々好ましい。差込み刃Ｋの刃山数は２〜５個が好ましく、隣接する刃山ＫａとＫｂの間の谷部に平坦部を設けるのが好ましい。平坦部の長さＬ１は、０．２５ｍｍ以上が好ましい。刃山Ｋａ、Ｋｂの刃先角度θ１、θ２は、鋭角であればよく、特に限定はしないが、十分なＬ１を取るためには、Ｋａは５０〜７０度、Ｋｂは６０〜９０度が好ましい。
【００１５】
フィルムへの差込み性を損なわず、手等への摩擦を高めないためには、Ｋｂの外側端の半径Ｒｃは１ｍｍ以上、Ｋｂの先端部の半径Ｒｂは１５０μｍ以上、Ｋａの先端部の半径Ｒａは６０〜８０μｍが好ましい。ＫａとＫｂの刃山高さ（各々ＨａとＨｂ）の相対関係は、ＨａがＨｂに対し±３０％が好ましく、より好ましいのは全ての刃山の高さが揃っていることである。ＫａとＫｂの谷間の平坦部の距離をＬ１、Ｌ１を構成する平坦部を両側に外挿した時の、両端の刃山の外側縁との交点間距離をＬ２で表すと、刃山は、Ｌ２に対する刃山の数Ｎの割合、すなわちＮ／Ｌ２（個／ｍｍ）が０．８以上となることが好ましい。Ｋａの刃山高さＨａは、特に限定しないが、ラップフィルム等への差込みを阻害しないためには０．５ｍｍ以上が好ましい。
本発明のラップフィルム収納箱の素材は紙であり、秤量４００〜７００ｇ／ｍ２のコート
ボール紙が好ましい。
【００１６】
図６は、図１に示した掩蓋片５と開封片６を区分する切り込み線１１を詳細に示した図である。図７は、切り込み線１１の例を拡大した図である。図７の（ａ）〜（ｃ）は、切り込み線をずらして上下に配置させた二重ミシン目を、切り込み線上下の重なり方によって分けた図である。重なり長Ｄｄが切り込み線長さＤａに対し、同じ場合を（ａ）、短い場合を（ｂ）、長い場合を（ｃ）に示す。図７（ｄ）は、下方が先鋭で上方で一部つながった波形状を示す図である。
【００１７】
切り込み線１１に沿って掩蓋片５から開封片６を取り去ることにより生じる先端縁５ａの形状は、切り込み線１１の設計に起因する。先端縁５ａに形成される適度な凹凸形状が、ラップフィルムの伝播切断の際に適度な抵抗を与えるので、掩蓋片５に沿って伝播が進行し易くなる。
切り込み線が極端に長い場合、凹凸の存在が少ない形状となり、ラップフィルムの伝播切断の際に先端縁５ａから適度な抵抗を得られないので、掩蓋片５に沿わずに円弧状に進行し易くなり、ラップフィルムの切断端部の両端が底板からはみ出すように残る場合がある。この伝播切断の抵抗と切断端部の両端形状の観点より、切り込み線１１の形状は、切り込み線をずらして上下に配置させた二重ミシン目（図７（ａ））が好ましい。その場合、掩蓋片頂部を中心に左右対称形状であることが好ましい。切り込み線１１の長さＤａと間隔Ｄｂはいずれも１．０〜５．０ｍｍが好ましく、ラップフィルム収納箱長手方向に同一の長さと間隔で構成してもよい。
【００１８】
切断後のフィルム端部の全体形状は、図６に示すように、差込刃Ｋから切り込み線１１の端部までをＸ部とＹ部に２分して、差込刃Ｋ側のＸ部は（Ｘ＋Ｙ）部の長さの４０〜６０％とすることが好ましい。Ｘ部の長さをこの範囲とすることによって、ラップフィルムの切断端部の両端が底板からはみ出して残ることを抑制する効果が得られる。Ｘ部では切り込み線長さをＤａｘと間隔Ｄｂｘ、範囲Ｙでは切り込み線長さＤａｙと間隔Ｄｂｙを各々変えたもので構成し、ＤａｙはＤａｘより長く、ＤｂｙはＤｂｘより長いことがより好ましい（図７（ａ））。切り込み線上下の間隔Ｄｃは０．５〜１．５ｍｍ、切り込み線上下の重なり長Ｄｄは切り込み線長さの±５０％の範囲が開封片を取り去った後の美観が良いという点でも好ましい（図７（ｂ）及び（ｃ））。範囲Ｘ、Ｙにおける重なり長をそれぞれＤｄｘ、Ｄｄｙで表す。
【００１９】
二重ミシン目の場合、収納箱を構成する紙、例えばコートボール紙、の目付け方向（紙の流れ方向）をラップフィルム収納箱長手方向と垂直にすると、開封片６が開封操作の途中でちぎれる現象を回避できる。さらに、上部方向からの押し圧に対し、箱体の強度が増す利点がある。掩蓋片突出部付近を押えて伝播切断する本発明のラップフィルム用収納箱においては、使用の繰り返しに際し、押える掩蓋片突出部付近や指のかかる蓋板４と掩蓋片５からなる角部が凹む問題を抑制することができる。コートボール紙は、片面を水で濡らした時、目付け方向に対して垂直にカールするため、この性質を利用して目付け方向を判別することができる。
【実施例】
【００２０】
以下、本発明を実施例に基づいて説明する。
[実施例１] 
表１の実施例１に示した形状となるように、ブリキ製の差込み刃を作成し、図１に示したような収納室が約３１０ｍｍ（長さ）×４３ｍｍ（奥行き）×４３ｍｍ（高さ）である収納箱の掩蓋片頂部裏面に付設した。切り込み線は、Ｄａ、Ｄｂは何れも２．０ｍｍ、Ｄｃが０．７ｍｍ、Ｄｄが２．０ｍｍの二重ミシン目とし、開封片を取り去り、該二重ミシン目に起因した凹凸を掩蓋片先端に形成した。収納室内には約３０７ｍｍ（長さ）×３７
ｍｍ（外径）の紙製芯体に約２０ｍ（長さ）巻回された約３００ｍｍ（幅）のポリ塩化ビニリデン製フィルム（厚み約１０．７μｍ）を収納した。このサンプルを１００箱用意し、１００人のモニターに表１の比較例１〜３で示すサンプルと共に手渡し、交互にフィルムの切断を行った後、以下に示す評価尺度での評価を実施した。評価結果は表２に示した。
【００２１】
［実施例２〜７、比較例１〜３］
差込み刃の形状を表１に示した形状とした以外は、実施例１と同様な操作を実施した。比較例２、３で用いた差込み刃形状を図４（ｃ）及び（ｄ）に示した。図４（ｃ）は、刃山数が１個、刃山高さが０．９５ｍｍ、先端部の半径が３００μｍ、刃山の刃先角度が１２０度の差込み刃形状を示した図である。図４（ｄ）は、刃山数が３個、刃山高さが０．５５ｍｍ、先端部の半径が６０μｍ、刃山の刃先角度が４７度の差込み刃形状を示した図である。
【００２２】
[実施例８]
掩蓋片と開封片を区分する切り込み線が表３の実施例８に示した形状となるように、図１に示したような収納室が約３１０ｍｍ（長さ）×４３ｍｍ（奥行き）×４３ｍｍ（高さ）である収納箱を作成した。掩蓋片頂部には、実施例１で用いた差込み刃を付設した。開封片を取り去り、それぞれの切り込み線に起因した凹凸を掩蓋片先端に形成した。収納室内には約３０７ｍｍ（長さ）×３７ｍｍ（外径）の紙製芯体に約２０ｍ（長さ）巻回された約３００ｍｍ（幅）のポリ塩化ビニリデン製フィルム（厚み約１０．７μｍ）を収納した。このサンプルを１００箱用意し、１００人のモニターに表３の比較例４、５、参考例１で示すサンプルと共に手渡し、交互にフィルムの切断を行った後、以下に示す評価尺度での評価を実施した。評価結果は表４に示した。
【００２３】
[実施例９〜１２、比較例４、５、参考例１]
切り込み線の形状を表３に示した形状とした以外は、実施例８と同様な操作を実施した。但し、比較例４で示した収納箱には比較例１で示した差込み刃を、比較例５で示した収納箱には比較例３で示した差込み刃を付設した。比較例４、５で用いた切り込み線の形状、及び参考例１で用いた収納箱の形状は各々図８〜１０に示した。図８は、掩蓋片の先端縁に凹凸の存在しない形状をもった収納箱を示した図である。図９は、切り込み線の設計が、下方が先鋭で上方で一部つながった波形状である収納箱において、掩蓋片から開封片を分離させた後の状態で示すものである。図１０は、ラップフィルム等を切断使用するために広く使用されている収納箱で、蓋板に連接した掩蓋片先端のほぼ全巾に渡って、金属製切断刃が取り付けられたものを示した図である。
【００２４】
[評価尺度]
以下の（１）〜（５）はモニターによる判定を元にした評価尺度、（６）は実際の測定値を元にした評価尺度で、（７）には（１）〜（６）の総合評価の尺度を示した。（８）〜（１０）にはモニター評価に関連の近い項目を数値で表したものを参考値として示した。
（１）差込み性
比較例１との対比で、該当サンプルのラップフィルム差込み時に大きな抵抗を感じたか、及び／又は伝播切断全体を通して大きな抵抗を感じたか否かを回答してもらった。フィルム差込み時に抵抗を感じたか、及び／又は伝播切断全体を通して大きな抵抗を感じたと回答した人が５人未満の場合は○、５人以上１０人未満の場合は△、１０人以上の場合は×の評価をした。
（２）手等へ摩擦感覚
比較例２との対比で、該当サンプルの刃先にせん断をかけずに接触してもらい、手等の摩擦感覚について回答してもらった。接触時に、大きな摩擦を感じたと回答した人が５人
未満の場合は○、５人以上１０人未満の場合は△、１０人以上の場合は×の評価をした。
【００２５】
（３）ハンドリング時の裂け
実施例１〜７では比較例３との対比で、実施例８〜１２では参考例１との対比で、それぞれ該当サンプルのハンドリング時（ラップフィルム先端を摘んで引き出す時）にラップフィルムが意図しない方向に裂けたか否かを回答してもらった。ラップフィルムが裂けたと回答した人が５人未満の場合は○、５人以上１０人未満の場合は△、１０人以上の場合は×の評価をした。
（４）切断性
参考例１との対比で、該当サンプルの切断途中に引っ掛かりを感じたか、及び／又は切断全体を通して大きな抵抗を感じたか否かを回答してもらった。切断途中に引っ掛かりを感じたか、又は／及び切断全体を通して大きな抵抗を感じたと回答した人が５人未満の場合は○、５人以上１０人未満の場合は△、１０人以上の場合は×の評価をした。
【００２６】
（５）収納箱の耐久性
比較例５との対比で、該当サンプルのラップフィルム２０ｍを全て切断した後、掩蓋片の中央部分、及び蓋板と掩蓋片からなる角部の変形具合を確認した。該当部分に凹みがないモニターが５人未満の場合は○、５人以上１０人未満の場合は△、１０人以上の場合は×の評価とした。
（６）フィルム切断端面の美観
比較例４との対比で、該当サンプルの切断時に、ラップフィルムの伝播切断が掩蓋片に沿って進行するか否かの評価を行った。約２０ｍ（長さ）巻回されたラップフィルム１本分（１回当り約１５０ｍｍ引出しで１箱当り１３０回前後のカット回数）を伝播切断した時、切断した後に収納箱側に残るラップフィルムの切断端において、脇板側の掩蓋片から突出したフィルム長さを「両端残り量」として測定した。掩蓋片突出部から掩蓋片脇板側までの高さ１４ｍｍを超えるか否かを基準とした。平均の残り量が１７ｍｍ（１４ｍｍの＋２５％）以下、標準偏差が５ｍｍ以下の場合は○、平均の残り量が２０ｍｍ以下、標準偏差が８ｍｍ以下の場合は△、平均の残り量が２０ｍｍを超える、標準偏差８ｍｍを超える場合は×の評価とした。
【００２７】
（７）総合評価
差込み刃に対する上記（１）〜（３）の評価で、全てが○、又は○が２個かつ△が１個であるものを合格として○の評価とした。掩蓋片と開封片を区分する切り込み形状に対する上記（３）〜（６）の評価で、全てが○、又は○が３個かつ△が１個であるものを合格として○の評価とした。
（８）差込み抵抗
適度なテンション（１．０Ｎ／ｍｍ２）をかけたラップフィルムに、実施例１〜７、比較例１〜３に示した形状の差込み刃を挿入した時に示した最大値をフォースゲージにて測定した。
【００２８】
（９）フィルム切断端面強度
実際に切断したラップフィルム端部において、実施例１〜７、比較例３では差込み刃により切り込みを入れた起点部を、実施例８〜１２と参考例１ではラップフィルム巾方向の端から１００ｍｍの伝播部を、それぞれラップフィルムの巾方向に裂くような状態でテンションをかけ、ラップフィルムが裂けたときの最大値をフォースゲージにて測定した。
（１０）切断抵抗
実施例８〜１２、比較例４、５、参考例１のラップフィルムを切断した時の最大抵抗をフォースゲージにて測定した。
【００２９】
表２より、実施例１〜７で示したような本発明の範囲内にあるラップフィルム用収納箱
は、本発明の範囲外である比較例１〜３で示したような構成をもつ収納箱と比較して、差込み性を低下させることなく、手等への摩擦低減効果が高いこと、ハンドリング時のラップフィルムの裂け等が改善されていることが判る。更に、本発明の範囲内でも特に好ましい構成である実施例１、２、５、６の差込み刃では特に、手等への摩擦に関する不都合が更に問題ない程度までに改善されていることが判る。
【００３０】
表４より、実施例８〜１２で示したような本発明の範囲内にあるラップフィルム用収納箱は、本発明の範囲外である比較例４、５で示したような構成をもつ収納箱と比較して、切断性を低下させることなくハンドリング時のラップフィルムの裂けが改善されていること、切断後の端面で両端が残る問題が改善されていること、箱の耐久性が向上されていることが判る。更に、本発明の範囲内でも特に好ましい構成である実施例１０の収納箱では特に、切断端面の美観低下に関する不都合が更に問題ない程度まで改善されていることが判る。
【００３１】
【表１】
2007326588.tif 000001
【００３２】
【表２】
2007326588.tif 000002
【００３３】
【表３】
2007326588.tif 000003
【００３４】
【表４】
2007326588.tif 000004
【産業上の利用可能性】
【００３５】
本発明の収納箱は、食品包装用のラップフィルム等を巻回した巻筒体用収納の分野で好適に利用できる。
【図面の簡単な説明】
【００３６】
【図１】本発明のラップフィルム用収納箱を開封途中の状態の斜視図である。
【図２】図１の開封後の蓋を開いた状態の斜視図である。
【図３】摘み部を有する差込み刃を示す図である。
【図４】差込み刃の刃先形状を示す図である。
【図５】図４（ａ）の刃先形状の拡大図である。
【図６】切り込み線を有する掩蓋片と開封片の例を示す図である。
【図７】切り込み線の例を示す図である。
【図８】従来のラップフィルム用収納箱の例を示す斜視図である。
【図９】従来のラップフィルム用収納箱の他の例を示す斜視図である。
【図１０】従来のラップフィルム用収納箱の他の例を示す斜視図である。
【符号の説明】
【００３７】
１    前板
２    底板
３    後板
４    蓋板
５    掩蓋片
５ａ  先端縁
６    開封片
７    脇板
８    掩蓋片脇板
９    収納室
１０  蓋体
１１  切り込み線
１２、１２’  摘み部
１３  カシメ部
１４  切断刃
Ｃ    ラップフィルム用収納箱
Ｋ    差込み刃